【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
正孔輸送性を有する単位を有し、かつ、置換基を有していてもよいチエニル基を末端の少なくとも一部に有するポリマー又はオリゴマー（Ａ）、及びチエニル基同士の結合反応を開始させるための開始剤（Ｂ）を含有し、熱、光、又は熱と光の両方を加えることにより溶解度が変化する組成物。
【請求項２】
正孔輸送性を有する単位が、芳香族アミン構造を含む単位及びカルバゾール構造を含む単位からなる群から選択される少なくとも１種を含む請求項１記載の組成物。
【請求項３】
ポリマー又はオリゴマー（Ａ）が、下記の式（Ｉａ）で表される構造及び式（Ｉｂ）で表される構造からなる群から選択される少なくとも１種の構造を有する請求項１又は２記載の組成物。
【化１】
2013229614.tif 000001
（式（Ｉａ）及び（Ｉｂ）中のＲ１〜Ｒ３は、それぞれ独立に、水素原子又はアルキル基を表し、Ｒ１〜Ｒ３の少なくとも１つは水素原子である。）
【請求項４】
ポリマー又はオリゴマー（Ａ）が、分岐構造を有し、かつ、３つ以上の末端を有するポリマー又はオリゴマーであり、全ての末端中の３つ以上にチエニル基を有する請求項１〜３いずれか記載の組成物。
【請求項５】
ポリマー又はオリゴマー（Ａ）が、下記の式（IIａ）で表される構造及び式（IIｂ）で表される構造からなる群から選択される少なくとも１種の構造を有する請求項１〜４いずれか記載の組成物。
【化２】
2013229614.tif 000002
（式（IIａ）及び（IIｂ）中のＲ１〜Ｒ３は、それぞれ独立に、水素原子又はアルキル基を表し、Ｒ１〜Ｒ３の少なくとも１つは水素原子であり、Ａｒａは、アレーンジイル基又はヘテロアレーンジイル基を表す。）
【請求項６】
開始剤（Ｂ）が、酸化剤である請求項１〜５いずれか記載の組成物。
【請求項７】
開始剤（Ｂ）が、オニウム塩である請求項１〜６いずれか記載の組成物。
【請求項８】
ポリマー又はオリゴマー（Ａ）の重量平均分子量が、１，０００〜１０００，０００である請求項１〜７いずれか記載の組成物。
【請求項９】
溶媒（Ｃ）をさらに含有する請求項１〜８いずれか記載の組成物。
【請求項１０】
請求項１〜９いずれか記載の組成物を含有する正孔輸送材料組成物。
【請求項１１】
請求項１〜９いずれか記載の組成物を含有するインク組成物。
【請求項１２】
請求項１〜９いずれか記載の組成物、請求項１０記載の正孔輸送材料組成物、又は、請求項１１記載のインク組成物を、塗布することにより形成した有機層（Ｉ）。
【請求項１３】
請求項１２記載の有機層（Ｉ）の溶解度を変化させる方法であって、前記有機層（Ｉ）に熱、光、又は熱と光の両方を加える工程を有する方法。
【請求項１４】
請求項１２記載の有機層（Ｉ）とは異なる溶解度を有する有機層（II）であって、前記有機層（Ｉ）に熱、光、又は熱と光の両方を加えることにより得た有機層（II）。
【請求項１５】
少なくとも２つの電極、及び、前記電極の間に位置する請求項１４記載の有機層（II）を有する有機エレクトロニクス素子。
【請求項１６】
陽極、請求項１４記載の有機層（II）、発光層、及び陰極を有する有機エレクトロルミネセンス素子。
【請求項１７】
請求項１６記載の有機エレクトロルミネセンス素子を用いた表示素子。
【請求項１８】
請求項１６記載の有機エレクトロルミネセンス素子を用いた照明装置。
【請求項１９】
陽極、請求項１４記載の有機層（II）、光電変換層、及び陰極を有する有機光電変換素子。
【手続補正２】
【補正対象書類名】明細書
【補正対象項目名】００５１
【補正方法】変更
【補正の内容】
【００５１】
式（８５ａ−１）又は（８６ａ−１）において、Ｒは、それぞれ独立に、水素原子、ハロゲン原子、または一価の有機基を表す。Ｒが表す一価の有機基としては、例えば、炭素数１〜２２個の直鎖、環状もしくは分岐アルキル基、又は炭素数２〜３０個のアリール基もしくはヘテロアリール基が挙げられ、これらの基がエーテル結合を介して結合した基を有していてもよい。
【手続補正３】
【補正対象書類名】明細書
【補正対象項目名】００７２
【補正方法】変更
【補正の内容】
【００７２】
なお、アレーン−トリイル基としては、例えば、ベンゼン−トリイル、ビフェニル−トリイル、ターフェニル−トリイル、ナフタレン−トリイル、アントラセン−トリイル、テトラセン−トリイル、フルオレン−トリイル、フェナントレン−トリイル等が挙げられる。ヘテロアレーントリイル基としては、例えば、ピリジン−トリイル、ピラジン−トリイル、キノリン−トリイル、イソキノリン−トリイル、アクリジン−トリイル、フェナントロリン−トリイル、フラン−トリイル、ピロール−トリイル、チオフェン−トリイル、カルバゾール−トリイル、オキサゾール−トリイル、オキサジアゾール−トリイル、チアジアゾール−トリイル、トリアゾール−トリイル、ベンゾオキサゾール−トリイル、ベンゾオキサジアゾール−トリイル、ベンゾチアジアゾール−トリイル、ベンゾトリアゾール−トリイル、ベンゾチオフェン−トリイル等が挙げられる。
【手続補正４】
【補正対象書類名】明細書
【補正対象項目名】００８０
【補正方法】変更
【補正の内容】
【００８０】
チエニル基を末端に有する場合、末端は、主鎖の末端でも側鎖の末端でもよく、あるいは、主鎖と側鎖の両方の末端であってもよい。また、ポリマー又はオリゴマー（Ａ）は、チエニル基を末端の全てに有していてもよく、あるいは、全末端中の一部に有していてもよい。具体的には、ポリマー又はオリゴマー（Ａ）が２つの末端を有し、当該２つの末端にチエニル基を有する場合、ポリマー又はオリゴマー（Ａ）が３つ以上の末端を有し、当該３つ以上の末端のうちの３つ以上にチエニル基を有する場合、などが挙げられる。
【手続補正５】
【補正対象書類名】明細書
【補正対象項目名】０１１６
【補正方法】変更
【補正の内容】
【０１１６】
塗布の方法としては、例えば、インクジェット法、キャスト法、浸漬法、凸版印刷、凹版印刷、オフセット印刷、平版印刷、凸版反転オフセット印刷、スクリーン印刷、グラビア印刷等の印刷法、スピンコーティング法などの公知の方法が挙げられる。塗布は、通常、−２０〜＋３００℃の温度範囲、好ましくは１０〜１００℃、特に好ましくは１５〜５０℃で実施することができる。また、塗布後、得られた有機層（Ｉ）を、ホットプレート又はオーブンによって、通常、＋３０〜＋３００℃の温度範囲、好ましくは６０〜２５０℃、特に好ましくは８０〜２２０℃で乾燥させ、溶媒を除去してもよい。乾燥時間は、通常、１０秒間〜２時間、好ましくは１分間〜１時間、特に好ましくは１〜１０分間である。
【手続補正６】
【補正対象書類名】明細書
【補正対象項目名】０１２４
【補正方法】変更
【補正の内容】
【０１２４】
本発明の実施形態である有機ＥＬ素子においても、高効率化の観点から、発光層に燐光材料を用いることが可能である。燐光材料としては、Ｉｒ、Ｐｔなどの中心金属を含む金属錯体などが好適に使用できる。具体的には、Ｉｒ錯体としては、例えば、青色発光を行うＦＩｒ（ｐｉｃ）〔イリジウム（ＩＩＩ）ビス［（４，６−ジフルオロフェニル）−ピリジネート−Ｎ，Ｃ２］ピコリネート〕、緑色発光を行うＩｒ（ｐｐｙ）３〔ファク  トリス（２−フェニルピリジン）イリジウム〕（前記M. A. Baldo etal., Nature, vol. 403, p. 750 (2000)参照）、又は赤色発光を行う（ｂｔｐ）２Ｉｒ（ａｃａｃ）{ビス〔２−（２’−ベンゾ［４，５−α］チエニル）ピリジナート−Ｎ，Ｃ３〕イリジウム（アセチル−アセトネート）}（Adachi et al., Appl. Phys. Lett., 78 no. 11, 2001, 1622参照）、Ｉｒ（ｐｉｑ）３〔トリス（１−フェニルイソキノリン）イリジウム〕等が挙げられる。Ｐｔ錯体としては、例えば、赤色発光を行う２、３、７、８、１２、１３、１７、１８−オクタエチル−２１Ｈ、２３Ｈ−フォルフィンプラチナ（ＰｔＯＥＰ）等が挙げられる。燐光材料は、低分子化合物又はデンドライト種、例えば、イリジウム核デンドリマーが使用され得る。またこれらの誘導体も好適に使用できる。
【手続補正７】
【補正対象書類名】明細書
【補正対象項目名】０１２７
【補正方法】変更
【補正の内容】
【０１２７】
発光層は、蒸着法により形成してもよく、塗布法により形成してもよい。
塗布法により形成する場合、有機ＥＬ素子を安価に製造することができ、より好ましい。発光層を塗布法によって形成するには、燐光材料と、必要に応じてホスト材料を含む溶液を、公知の塗布法で所望の基体上に塗布することで行うことができる。塗布法としては、例えば、インクジェット法、キャスト法、浸漬法、凸版印刷、凹版印刷、オフセット印刷、平版印刷、凸版反転オフセット印刷、スクリーン印刷、グラビア印刷等の印刷法、スピンコーティング法などが挙げられる。
【手続補正８】
【補正対象書類名】明細書
【補正対象項目名】０１４７
【補正方法】変更
【補正の内容】
【０１４７】
電極は、光電変換層内に生じた正孔及び電子を捕集する機能を有するものであり、正孔及び電子の捕集に適した電極材料を対にして用いることが好ましい。正孔の捕集に適した電極材料としては、例えば、Ａｕ、ＩＴＯ等の高い仕事関数を有する材料が挙げられる。一方、電子の捕集に適した電極材料としては、例えば、Ａｌのような低い仕事関数を有する材料が挙げられる。
【手続補正９】
【補正対象書類名】明細書
【補正対象項目名】０１５４
【補正方法】変更
【補正の内容】
【０１５４】
＜ポリマーの合成＞
（Ｐｄ触媒の調製）
窒素雰囲気下のグローブボックス中で、室温下、サンプル管にトリス（ジベンジリデンアセトン）ジパラジウム（７３．２ｍｇ、８０μｍｏｌ）を秤取り、アニソール（１５ｍＬ）を加え、３０分間撹拌した。同様に、サンプル管にトリ−ｔｅｒｔ−ブチルホスフィン（１２９．６ｍｇ、６４０μｍｏｌ）を秤取り、アニソール（５ｍＬ）を加え、５分間撹拌した。これらの溶液を混合し、室温で３０分間撹拌し触媒とした。すべての溶媒は３０分以上、窒素バブルにより脱気した後、使用した。